(57)【要約】【課題】  部材係止用フックの口径よりも大きな構築部材に安全帯を取り付ける時、構築部材に命綱を回してそのフックを命綱に掛ける、いわゆる１本吊り掛止を行なうことなく別体的に構成する部材掛止部により、命綱の摩耗を懸念なしに構築部材に取り付けることができる。【解決手段】  一端にバックルを備えた胴ベルトに結合リングを設け、結合リングから延尺し、先端に連結部を設けた命綱を有する安全帯を形成し、掛止索の一端にフックを設け、他端にフック掛止環を設けた部材取付部を、命綱の先端に設けた連結部に取付けて、部材係止用フックとフック掛止環を連結することで大型の構築部材に取り付けられる大型部材掛止部付き安全帯。【選択図】図１
2014004136.tif 000002
【特許請求の範囲】
【請求項１】
一端にバックルを備えた胴ベルトに結合リングを設け、
前記結合リングから延尺し、先端に連結部を設けた命綱を有する安全帯であって、
掛止索の一端にフックを設け、他端にフック掛止環を設けた部材掛止部を前記連結部に取付け、
前記フックのかぎ口と前記フック掛止環を連結することにより構築部材に巻回可能となる大型部材掛止部を構成したことを特徴とする大型部材掛止部付き安全帯。
【請求項２】
前記命綱の連結部に前記部材掛止部のフックを連結し、前記フックに他端のフック掛止環を掛止することにより、閉鎖した大型部材掛止部が形成される請求項１に記載の大型部材掛止部付き安全帯。
【請求項３】
前記命綱の連結部に前記部材掛止部のフック掛止環を連結し、一端のフックに前記フック掛止環を掛止することにより、閉鎖した大型部材掛止部が形成される請求項１に記載の大型部材掛止部付き安全帯。
【発明の詳細な説明】
【技術分野】
【０００１】
本願は、高所作業者が墜落防止のために、腰部に装着する安全帯に関するものである。
【背景技術】
【０００２】
従来から、高所での作業現場において、作業者は落下事故を防止するために安全帯を使用している。この安全帯は、腰に巻く胴ベルト部と、先端に部材係止用のフックを備えた命綱（ロープ又は細幅繊維ベルト）とを胴ベルト部に配置した環で連結した構造である。
通常、ビルなどの建設現場では直径４８．６ミリの単管パイプを組み合わせて足場を作っている。安全帯のフックはその単管パイプを掛けることができるように口径を５０ミリとしており、高所作業時、作業者は単管パイプに部材掛止用のフックを掛けて安全を確保している。
しかしながら、フックの口径よりも大きな部材（直径が５０ミリ以上）には直接掛けできないので、そのような場合は構築部材に命綱を回して部材係止用のフックをその命綱に掛けるという回し掛けをすることで対応していた。
【先行技術文献】
【特許文献】
【０００３】
【特許文献１】実開平２−７１５５６号
【発明の概要】
【発明が解決しようとする課題】
【０００４】
特許文献１に示す墜落防止用安全帯を装着した作業者が直径４８．６ミリの単管パイプよりも大きな構築部材にその安全帯を取り付ける場合、構築部材に命綱を回して部材係止用のフックをその命綱に掛けていた。その際、命綱はフックかぎ部内側と接触している。命綱はロープ又は細幅繊維ベルトの繊維製品であり、フックは金属製品である。回し掛けをした際、フックのかぎ部内側と命綱が直接、接触するので、フックのかぎ部の表面状態によっては命綱を傷つけることがあった。よって、その傷が深く進行した際には、万が一の墜落時の衝撃力に耐え得ない強度に低下することも懸念されることがあった。
【０００５】
フックの口径よりも大きな構築部材に安全帯の命綱を回し掛けすることなく取り付けるには、フックが掛けられる径の安全帯フック取付用のコ字金具や、フックのかぎ部が挿入できる穴をあらかじめ構築部材に設けることが必要となる。
そのような設備のない作業現場では、一端に環を備え、他端にフックを備えた合成繊維製のロープ又はベルトからなる部材取付用の台付けロープを持参し、作業する箇所の近傍の構築部材に台付けロープを巻き付けて安全帯フックの取付用台付けロープとし、台付けロープの環にフックを掛けていた。
【課題を解決するための手段】
【０００６】
本願は、この目的を達成すべく、別体である部材取付用の台付けロープを持参することなく、大型の構築部材に取り付けられる大型部材掛止部付き安全帯を発明した。
本願発明は、一端にバックルを備えた胴ベルトに結合リングを設け、結合リングから延尺し、先端に連結部を設けた命綱を有する安全帯を形成し、掛止索の一端にフックを設け、他端にフック掛止環を設けた部材掛止部を、命綱先端に設けた連結部に取付けて、部材掛止部のフックのかぎ口とフック掛止環を連結することで、構築部材に巻回可能となる大型部材掛止部を構成する大型部材掛止部付きの安全帯である。
【０００７】
本願発明の請求項２は、命綱の連結部に部材掛止部のフックを連結し、部材掛止部のフックかぎ口に他端のフック掛止環を掛止することで、閉鎖した大型部材掛止部が形成されて、構築部材に巻回可能となる大型部材掛止部付き安全帯である。
本願発明の請求項３では、命綱の連結部に部材掛止部のフック掛止環を連結し、一端の部材掛止部のフックかぎ口をフック掛止環に掛止することで、閉鎖した大型部材掛止部が形成され、構築部材に巻回可能となる大型部材掛止部付き安全帯である。
【発明の効果】
【０００８】
このように、大型部材掛止部付き安全帯を使用すると、直径４８．６ミリの単管パイプよりも大きな構築部材にも命綱を回し掛けすることなく取り付けられ、更に、大型部材掛止部は命綱と一体構造となっているので、一端に環を備え、他端にフックを備えた部材取付用の台付けロープを別に持参する必要がなくなった。
【図面の簡単な説明】
【０００９】
【図１】実施例１の大型部材掛止部付き安全帯で、（ａ）はその正面図、（ｂ）はフック掛止環の底面図
【図２】実施例２の大型部材掛止部付き安全帯の正面図
【図３】本願発明の基本構成を示す大型部材掛止部付き安全帯の正面図
【図４】実施例１の大型部材掛止部付き安全帯を装着した時の使用状態図
【図５】大型部材掛止部付き安全帯の他の実施例３−１で、（ａ）はその正面図、（ｂ）は連結部の底面図
【図６】大型部材掛止部付き安全帯の他の実施例３−２で、（ａ）はその正面図、（ｂ）は連結部の底面図
【図７】大型部材掛止部付き安全帯の他の実施例４−１の正面図
【図８】大型部材掛止部付き安全帯の他の実施例４−２の正面図
【図９】連結部の他の実施例で、（ａ）は底面図を示し、（ｂ）は正面図
【発明を実施するための形態】
【００１０】
図１（ａ）は実施例１の大型部材掛止部付き安全帯の正面図、図２は実施例２の大型部材掛止部付き安全帯の正面図、図３は本願発明の基本構成を示す大型部材掛止部付き安全帯、図４は実施例１の大型部材掛止部付き安全帯の使用状態図である。
【００１１】
本願発明の基本構造を図３に示す。
一端にバックル１１を備えた胴ベルト１２の中央部よりやや左側に結合リング１４を設ける。命綱１７は巻取り器１６を有する細幅織ベルトで、一端は緩衝体１５を介して胴ベルト１２に設けた結合リング１４に連結し、先端に輪状の挿通孔１８１を有する金属製の連結部１８を設けた安全帯である。
部材掛止部４は、掛止索とフックとフック掛止環から構成され、掛止索は細幅織の掛止ベルト４１で、掛止ベルト４１の一端にフック取付環４３を介してフック４４を連結し、他端はフック４４のかぎ口４４１が掛止できる大きさのフック掛止環４２を設けたものである。
輪状の挿通孔１８１を有する連結部１８に、部材掛止部４の掛止ベルト４１を挿通することで、命綱１７に部材掛止部４を取り付けた大型部材掛止部付き安全帯を形成する。
この基本構造では、部材掛止部４は、連結部１８の挿通孔１８１にフック掛止環４２から掛止ベルト４１を挿通させているので、部材掛止部４は簡単に連結部１８から抜けてしまうことがある。
従って、部材掛止部４が連結部１８から抜けて分離しない構造にすることが必要であり、具体的な方法を実施例１と実施例２として説明する。
【実施例１】
【００１２】
実施例１は図１に示す。
実施例１は、命綱１７の連結部１８と部材掛止部４のフック取付環４３を連結した構造の大型部材掛止部付き安全帯である。
図１（ａ）に示すように、部材掛止部４は掛止ベルト４１（掛止索）とフック取付環４３に取り付けられたフック４４とフック掛止環４２からなる。
掛止ベルト４１の一端はフック４４と命綱１７の連結部１８が取り付けられる大きさのフック取付環４３とし、フック４４の基部４４２と連結部１８を挿入し、ベルトを折り返して、折り返し箇所を縫製することでフック４４と連結部１８が取り付けられる。図１（ｂ）に示すように、他端は、フック４４のかぎ口４４１が掛止できる大きさのフック掛止環４２とし、ベルトを折り返して、折り返し箇所を縫製することでフック掛止環４２が形成される。
このように部材掛止部４が命綱１７の連結部１８に取り付けられたことで、大型部材掛止部付き安全帯が形成できる。
図１（ａ）に示すように、フック４４とフック取付環４３は、掛止ベルト４１のねじれを防止する為に回転自在金具４５を介して連結してもよい。
図示しないが、部材掛止部４のフック４４をフック取付環４３ではなく、連結部１８に取り付けてもよい。
【実施例２】
【００１３】
実施例２は図２に示す。
実施例２は、命綱１７の連結部１８と部材掛止部４のフック掛止環４２を連結した構造の大型部材掛止部付き安全帯である。
部材掛止部４は、掛止ベルト４１とフック取付環４３に取り付けられたフック４４とフック掛止環４２からなる。
掛止ベルト４１の一端はフック４４の基部４４２が取り付けられる大きさのフック取付環４３とし、フック４４の基部４４２を挿入し、ベルトを折りかえして、折り返し箇所を縫製することでフック４４が取り付けられ、他端はフック４４のかぎ口４４１が掛止でき、且つ、命綱１７の連結部１８が取り付けられる大きさのフック掛止環４２とし、ベルトを折りかえしてフック掛止環４２に連結部１８を組み付け、折り返し箇所を縫製することでフック掛止環４２が形成される。
このように部材掛止部４を命綱１７の連結部１８に取り付けたことで、大型部材掛止部付き安全帯が形成できる。
図２に示すように、フック４４とフック取付環４３は、掛止ベルト４１のねじれを防止する為に回転自在金具４５を介して連結してもよい。
図示しないが、フック４４のかぎ口４４１をフック掛止環４２ではなく、連結部１８に掛けても同様の効果が得られる。
【００１４】
実施例１及び実施例２において、部材掛止部４の掛止ベルト４１は、巻取器に収納できる命綱１７と区別するために違う色にしてもよい。
掛止ベルト４１は、表面状態の悪い構築部材に取り付ける場合でも必要強度を確保できるように、巻取り器の命綱より強度を有する細幅織ベルトにしてもよい。
掛止ベルトは、摩耗を防止する為に保護材を設けてもよい。
連結部５０は、図９（ａ），（ｂ）に示すように、２枚の連結プレート５１，５１を所定長離して保持具５２により固定し、一端に命綱取付部５４、他端に部材掛止部取付部５５を備えた構造でもよい。
【００１５】
図４は実施例１の大型部材掛止部付き安全帯を装着した時の使用状態図を示す。
大型部材掛止部付き安全帯を装着した作業員は、高所作業をする現場近傍にある大型の構築部材に部材掛止部４を取り付けるのであるが、掛止ベルト４１を大型の構築部材に回して、フック４４のかぎ口４４１に掛止ベルト４１のフック掛止環４２を掛けることで取り付けられる。
従って、作業員の装着している大型部材掛止部付き安全帯は、大型の構築部材に命綱を回して安全帯フックを命綱に掛けるという回し掛けをすることなく大型の構築部材に掛止できる。
【００１６】
実施例２の大型部材掛止部付き安全帯の使用方法は図示していないが、実施例１と同様に、掛止ベルト４１を大型の構築部材に回して、フック４４のかぎ口４４１を掛止ベルト４１のフック掛止環４２に掛けることで取り付けられる。
又、フック４４のかぎ口４４１を命綱１７の連結部１８に掛けてもよい。
【実施例３】
【００１７】
実施例１及び実施例２では、命綱が巻取り式の大型部材掛止部付き安全帯について説明した。
次に、図５の実施例３−１及び図６の実施例３−２として、巻取り機能のない細幅織ベルトを命綱とした安全帯について説明する。
図５（ａ）に示すように、実施例３−１は、一端にバックル６１を備えた胴ベルト６２の中央部よりやや左側に結合リング６４を備え、結合リング６４から延尺し、先端にフック掛止環７２を設けた命綱６７の所定箇所に連結環用ベルト６８１を縫着して形成した連結部６８（図５（ｂ）参照）に、フック７４を取り付けた構造である。
【００１８】
この場合、命綱６７は、結合リング６４から連結部６８までの命綱Ａ６９と連結環６８からフック掛止環７２までの掛止ベルト７１の二つの要素と考えることができる。
この為、実施例３−１において、胴ベルト部（胴ベルト６２とバックル６１）と命綱部（結合リング６４と命綱Ａ６９と連結部６８）は、実施例１及び実施例２と同じ構成要件となる。更に、部材掛止部７０は、掛止ベルト７１の一端にフック取付環７３（連結部６８と兼用）、他端にフック掛止環７２を有し、フック７４はフック取付環７３に連結しており、実施例１と同等の構造と考えられる。
従って、実施例３−１は実施例１と同じ構造である大型部材掛止部付き安全帯である。
【００１９】
図６に示す実施例３−２において、胴ベルト部（胴ベルト６２とバックル６１）と命綱部（結合リング６４と命綱Ａ６９と連結部６８）は、実施例３−１と同じ構成となっているので、命綱Ａ６９と掛止ベルト７１からなる命綱６７の掛止ベルト７１とフックとフック掛止環から構成された部材掛止部７７について説明する。
この部材掛止部７７は、掛止ベルト７１の先端にフック取付環７６を設け、そのフック取付環７６にフック７４を取付け、命綱６７の所定箇所にフック７４のかぎ口７４１が掛止できるフック掛止環７５（連結部６８と兼用）を有する構造である。このように部材掛止部７７は、掛止ベルト７１の先端にフック７４を設け、基端にフック掛止環７５を設けているので、実施例２と同等の構造と考えられる。
従って、実施例３−２は実施例２と同じ構造である大型部材掛止部付き安全帯である。
【実施例４】
【００２０】
次に図７の実施例４−１及び図８の実施例４−２として命綱にロープを使用した安全帯について説明する。
図７に示すように、実施例４−１は、一端にバックル８１を備えた胴ベルト８２の中央部よりやや左側に結合リング８４を備え、結合リング８４から延尺し、先端にフック掛止環９２を設けた命綱８７の所定箇所に複数のロープ通過孔８８１，８８１とフック取付環９３を有する連結部８８を取り付けた構造である。
【００２１】
この場合、命綱８７は、結合リング８４から連結部８８までの命綱Ａ８９と連結部８８からフック掛止環９２までの掛止ロープ９１の二つの要素と考えることができる。
この為、実施例４−１において、胴ベルト部（胴ベルト８２とバックル８１）と命綱部（結合リング８４と命綱Ａ８９と連結部８８）は、実施例１と同じ構成要件である。更に、部材掛止部９０は、掛止ロープ９１の一端にフック取付環９３、他端にフック掛止環９２を有し、フック９４はフック取付環９３に連結しており、実施例１と同等の構造と考えられる。
従って、実施例４は、実施例１と同じ構造である大型部材掛止部付き安全帯である。
【００２２】
図８に示す実施例４−２において、胴ベルト部（胴ベルト８２とバックル８１）と命綱部（結合リング８４と命綱Ａ８９と連結部８８）は、実施例４−１と同じ構成となっているので、命綱Ａ８９と掛止ロープ９１からなる命綱８７の掛止ロープ９１とフックとフック掛止環から構成された部材掛止部９９について説明する。
この部材掛止部９９は、先端にフック取付環９７を設け、そのフック取付環９７にフック９４を取付け、命綱８７の所定箇所に位置する連結部９８にフック９４のかぎ口９４１が掛止できるフック掛止環９６を設けた構造である。このように部材掛止部９９は、掛止ロープ９１の先端にフック９４を設け、基端にフック掛止環９６を設けているので、実施例２と同等の構造と考えられる。
従って、実施例４−２は実施例２と同じ構造である大型部材掛止部付き安全帯である。
【符号の説明】
【００２３】
１１  バックル
１２  胴ベルト
１４  結合リング
１５  緩衝体
１６  巻取り器
１７  命綱
１８  連結部
１８１  挿通孔
４  部材掛止部
４１  掛止ベルト
４２  フック掛止環
４３  フック取付環
４４  フック
４４１  かぎ口
４４２  基部
４５  回転自在金具
５０  連結部
５１  連結プレート
５２  保持具
５４  命綱取付部
５５  部材掛止部取付部
６１  バックル
６２  胴ベルト
６４  結合リング
６７  命綱
６８  連結部
６８１  連結環用ベルト
６９  命綱Ａ
７０  部材掛止部
７１  掛止ベルト
７２  フック掛止環
７３  フック取付環
７４  フック
７４１  かぎ口
７４２  基部
７５  フック掛止環
７６  フック取付環
７７  部材掛止部
８１  バックル
８２  胴ベルト
８４  結合リング
８７  命綱
８８  連結部
８８１  ロープ挿通孔
８９  命綱Ａ
９０  部材掛止部
９１  掛止ロープ
９２  フック掛止環
９３  フック取付環
９４  フック
９４１  かぎ口
９６  フック掛止環
９７  フック取付環
９８  連結部
９９  部材掛止部
【図１】
2014004136.tif 000003
【図２】
2014004136.tif 000004
【図３】
2014004136.tif 000005
【図４】
2014004136.tif 000006
【図５】
2014004136.tif 000007
【図６】
2014004136.tif 000008
【図７】
2014004136.tif 000009
【図８】
2014004136.tif 000010
【図９】
2014004136.tif 000011